(57)【要約】【課題】開封率を向上させる効果があり、しかも開封後に有効に活用できる被包物入り封筒を提供する。【解決手段】被包物入り封筒を、手提げ用の取っ手５を形成した筒状部３とこの筒状部３の一端を閉じる矩形の底部４とを備えるガセット袋２に、底部４と略同一形状の平坦な被包物１を収納し、その被包物１の各縁が底部４の各辺に沿うように被包物１を底部４に重ね合わせ、筒状部３のガセット６を内側に折り込んで筒状部３を平らにし、平らにした筒状部３を両側からガセット６の折込線９に対して斜めに折りたたんで中央が両端よりも突出した山形となし、山形となした筒状部３を底部４に沿わせて固定してなるものとする。【選択図】図５
2006117303.tif 000002
【特許請求の範囲】
【請求項１】
手提げ用の取っ手を形成した筒状部とこの筒状部の一端を閉じる矩形の底部とを備えるガセット袋に、前記底部と略同一形状の平坦な被包物を収納し、その被包物の各縁が前記底部の各辺に沿うように前記被包物を前記底部に重ね合わせ、前記筒状部のガセットを内側に折り込んで筒状部を平らにし、平らにした前記筒状部を両側からガセットの折込線に対して斜めに折りたたんで中央が両端よりも突出した山形となし、山形となした前記筒状部を前記底部に沿わせて固定してなる被包物入り封筒。
【請求項２】
折りたたんだ前記筒状部の先端を前記底部の裏側の中央に固定した請求項１に記載の被包物入り封筒。
【請求項３】
平らにした前記筒状部を、前記ガセットの折込線に対して４５度の角度を持つ折曲線に沿って折り曲げ、さらに筒状部の中心線を基準にして前記折曲線と対称な折曲線に沿って折り曲げて、前記筒状部を山形となした請求項１または２に記載の被包物入り封筒。
【請求項４】
前記被包物が、広告を目的とした印刷物である請求項１から３のいずれかに記載の被包物入り封筒。
【発明の詳細な説明】
【技術分野】
【０００１】
この発明は、平坦な被包物を収納したダイレクトメールなどの被包物入り封筒に関する。
【背景技術】
【０００２】
ダイレクトメールは、広告物を個々の顧客に対して直接郵送する広告方法である。ダイレクトメールの受け取り通数は、１９９９年の統計では年間一人あたり３３通（日本郵政公社  ＤＭ  ＦＡＣＴＯＲＹホームページより）であり、その総数は、国内全体でみると数十億通にものぼる。
【０００３】
しかし、ダイレクトメールの郵送に用いられる従来の封筒は、開封後にそのまま廃棄されることを前提として形成されている。したがって、広告物を取り出した後の封筒は、活用されることなくそのまま廃棄されることが多く、この廃棄により、紙や樹脂フィルム等の封筒材料が大量に浪費されていた。
【０００４】
また、受取人がダイレクトメールを開封せずに廃棄してしまう問題がある。この開封前の廃棄を防止することを目的とした封筒が種々提案されており、たとえば、開封用の破断線の軌跡を広告対象の商品の形状に似せることにより、開封する動機付けを受取人に与えるものが提案されている（特許文献１）。しかし、このような封筒であっても、開封後にはそのまま廃棄されることが多い。
【特許文献１】特開２００２−０５９９４０号公報
【発明の開示】
【発明が解決しようとする課題】
【０００５】
この発明が解決しようとする課題は、開封率を向上させる効果があり、しかも開封後に有効に活用できる被包物入り封筒を提供することである。
【課題を解決するための手段】
【０００６】
上記の課題を解決するために、被包物入り封筒を、手提げ用の取っ手を形成した筒状部とこの筒状部の一端を閉じる矩形の底部とを備えるガセット袋に、前記底部と略同一形状の平坦な被包物を収納し、その被包物の各縁が前記底部の各辺に沿うように前記被包物を前記底部に重ね合わせ、前記筒状部のガセットを内側に折り込んで筒状部を平らにし、平らにした前記筒状部を両側からガセットの折込線に対して斜めに折りたたんで中央が両端よりも突出した山形となし、山形となした前記筒状部を前記底部に沿わせて固定してなるものとした。
【０００７】
この被包物入り封筒は、以下の構成を加えるとより好ましいものとなる。
１）折りたたんだ前記筒状部の先端を前記底部の裏側の中央に固定する。
２）平らにした前記筒状部を、前記ガセットの折込線に対して４５度の角度を持つ折曲線に沿って折り曲げ、さらに筒状部の中心線を基準にして前記折曲線と対称な折曲線に沿って折り曲げて、前記筒状部を山形となす。
３）前記被包物を、広告を目的とした印刷物とする。
【発明の効果】
【０００８】
底部に固定された筒状部を底部から外して展開すると、手提げ用の取っ手を有するガセット袋になるので、開封した封筒は手提げ袋として活用することができる。また、手提げ袋としての利用が、封筒を開封する動機付けとなるので、受取人による開封率を向上させる効果がある。
【発明を実施するための最良の形態】
【０００９】
図１に、この発明の被包物入り封筒の実施形態を示す。この被包物入り封筒はいわゆるダイレクトメールであり、矩形に折りたたんだ被包物１が、樹脂フィルムからなる封筒に収納されている。この被包物入り封筒は、以下のようにして形成することができる。
【００１０】
まず、図１に示すように、両側にガセット（まち）を有するガセット袋２に被包物１を収納する。この被包物１は、商品またはサービスの広告を目的とした印刷物であり、矩形に折りたたまれて平坦となっている。一方、ガセット袋２は、筒状部３と筒状部３の一端を閉じる矩形の底部４とからなる。ガセット袋２の筒状部３には、手提げ用の取っ手５が形成されており、ガセット袋２を手提げ袋として用いることが可能となっている。ガセット袋２の底部４は、被包物１とほぼ同一の大きさの矩形であり、被包物１を収納した状態で折りたたんで封筒を形成したときに、封筒の縁と被包物の縁との間の隙間が小さくなるようにしている。また、被包物１は、その各々の縁が底部４の各々の辺に沿うように、底部４に重ね合わされている。
【００１１】
次に、図２に示すように、ガセット袋２のガセット６を筒状部３の内側に折り込み、筒状部３を平らにする。続いて、平らになった筒状部３を、図３に示すように第１折曲線７に沿って折り曲げ、さらに、図４に示すように第２折曲線８に沿って折り曲げて、中央が両端よりも突出した山形とする。第１折曲線７はガセット６の折込線９に対して４５度の角度をなす線であり、第２折曲線８は筒状部３の中心線１０（図２の１点鎖線）を基準として折曲線と対称な線なので、筒状部３を折りたたんだときに筒状部３の縁と縁とが重なり合う。
【００１２】
次に、折りたたんで山形となした筒状部３を底部４に沿うように折り曲げ、図５に示すように、折りたたんだ筒状部３の先端１１を底部４の裏側の中央に固定する。図では、筒状部３の固定を粘着シール１２で行なっている。この粘着シール１２に郵送先の氏名および住所を印刷しておくと、封筒自体に個々の郵送先を印刷する必要がなくなり、より好ましい。
【００１３】
この封筒によれば、以下の効果を得る。
【００１４】
第１に、開封後にも有効に活用することができる。すなわち、この封筒は、粘着シール１２を剥がして底部４から筒状部３の先端１１を外して展開すると、手提げ用の取っ手５を有するガセット袋になる。したがって、開封した封筒は手提げ袋として活用することができる。
【００１５】
第２に、受取人による開封率を向上させる効果がある。すなわち、封筒の受取人が、その封筒を開封して手提げ袋として利用しようとする結果、受取人による開封率が向上する。封筒を開封したときに、優れた意匠の手提げ袋になるように封筒をデザインすれば、この効果はより顕著となる。
【００１６】
第３に、二次的な宣伝広告効果を発揮しうる。封筒を開封して手提げ袋にしたときに、手提げ袋の意匠が宣伝広告機能をも有する意匠となるようにデザインしておけば、受取人がその手提げ袋を持ち歩くことによって、二次的な宣伝広告をなしうる。
【００１７】
第４に、この封筒は、ガセット袋の筒状部３を山形に折りたたんで、底部４の表側中央から裏側中央まで巻きつけ、裏側中央で固定した形状なので、巻きつけた部分に生じる開口が小さく、そのため、郵送過程で他の郵便物が封筒の開口に入り込む事故が起きにくい。
【００１８】
第５に、開封後の封筒をより効果の高い集客ツールとして利用しうる。すなわち、封筒を開封して得られる手提げ袋を店頭に持参した受取人のみに景品を提供し、その手提げ袋に景品を入れて持ち帰ってもらうようにすれば、受取人の来店率を向上させることができる。さらに、来店した受取人に景品を提供する際に手提げ袋の粘着シールを回収する等すれば、すべての受取人のうちのいずれの受取人が来店したかを把握することも可能となる。
【００１９】
ガセット袋は、透明の樹脂フィルムで形成してもよく、紙で形成してもよい。透明の樹脂フィルムにすれば、ガセット袋を折りたたんだ様子が外部から見えるので、封筒を展開した状態を知りたいという好奇心を受取人に生じさせ、その結果、受取人による開封率が向上する。
【００２０】
図では、宣伝広告用の印刷物すなわち広告物をガセット袋の底部４と略同一形状としているが、広告物をガセット袋の底部４とは異なる形状にしておき、この広告物とは別個に底部と略同一形状の矩形物を被包物として収納してもよい。このようにすれば、広告物の形状の自由度が高まる。また、被包物を手提げ袋の底板として利用できるので、広告物を取り出した後も手提げ袋としての使い勝手がよい。
【００２１】
ガセット６を内側に折りこんで平らにした筒状部３を、ガセット６の折込線９に対して直角に折って短くしてから、その筒状部３を両側からガセット６の折込線９に対して斜めに折りたたんで山形となしてもよい。
【００２２】
折りたたんだ筒状部３の先端１１は、接着剤で底部４に固定してもよい。
【図面の簡単な説明】
【００２３】
【図１】この発明の実施形態の被包物入り封筒の完成前の状態を示す図。
【図２】上記の被包物入り封筒の形成過程を示す図。
【図３】上記の被包物入り封筒の形成過程を示す図。
【図４】上記の被包物入り封筒の形成過程を示す図。
【図５】この発明の実施形態の被包物入り封筒の完成後の状態を示す図。
【符号の説明】
【００２４】
１    被包物
２    ガセット袋
３    筒状部
４    底部
５    取っ手
６    ガセット
７    第１折曲線
８    第２折曲線
９    ガセットの折込線
１０  筒状部の中心線
１１  折りたたんだ筒状部の先端
【図１】
2006117303.tif 000003
【図２】
2006117303.tif 000004
【図３】
2006117303.tif 000005
【図４】
2006117303.tif 000006
【図５】
2006117303.tif 000007